(57)【要約】【課題】撮像素子が発する熱を効率良く放出するデジタルカメラを、別途部品を設けることなく低コストに提供する。【解決手段】デジタルカメラ１１の筐体１２は、ポリカーボネートからなる前方カバー１３と、後方カバー１４と、から構成される。前方カバー１３の前面には、レンズ鏡筒１６が差し込まれる開口部が形成されている。開口部の内側にはポリカーボネートからなる保持板２３が取り付けられ、レンズ鏡筒１６は保持板２３に保持されている。保持板２３には、受光部２４の前方が透明材料２５で塞がれたＣＣＤイメージセンサ２６が固定されている。撮像に際し発するＣＣＤイメージセンサ２６の熱は、保持板２３から前方カバー１３を伝って筐体１２前方へ効率良く放出される。【選択図】図２
2008244937.tif 000002
【特許請求の範囲】
【請求項１】
撮影レンズが組み込まれたレンズ鏡筒と、前記レンズ鏡筒が差し込まれる開口部が形成された前方カバー、及び後方カバーから構成される筐体と、前記開口部の内側に設けられ、前記レンズ鏡筒を保持する鏡筒保持手段と、前記鏡筒保持手段に固定された撮像素子とを備えたデジタルカメラにおいて、
前記鏡筒保持手段と、前記前方カバーの少なくとも前記開口部周縁を形成する部品とは、前記後方カバーよりも熱伝導率が高い素材からなることを特徴とするデジタルカメラ。
【請求項２】
前記撮像素子は、前記後方カバーよりも熱伝導率が高い素材からなるシートを介して前記鏡筒保持手段に固定されていることを特徴とする請求項１記載のデジタルカメラ。
【請求項３】
前記鏡筒保持手段は、前記撮像素子が固定される柔軟性シートと、前記柔軟性シートの周縁が固定されるとともに前記レンズ鏡筒を保持する保持部とから構成されていることを特徴とする請求項１記載のデジタルカメラ。
【請求項４】
撮影レンズが組み込まれたレンズ鏡筒と、前記レンズ鏡筒が差し込まれる開口部が形成された筐体と、前記開口部から露呈するように設けられ、前記レンズ鏡筒を保持する鏡筒保持手段と、前記鏡筒保持手段に固定された撮像素子とを備えたデジタルカメラにおいて、
前記鏡筒保持手段は、前記筐体よりも熱伝導率が高い素材からなることを特徴とするデジタルカメラ。
【請求項５】
前記撮像素子は、前記筐体よりも熱伝導率が高い素材からなるシートを介して前記鏡筒保持手段に固定されていることを特徴とする請求項４記載のデジタルカメラ。
【請求項６】
前記鏡筒保持手段は、前記撮像素子が固定される柔軟性シートと、前記柔軟性シートの周縁が固定されるとともに前記レンズ鏡筒を保持する保持部とから構成されていることを特徴とする請求項４記載のデジタルカメラ。
【請求項７】
前記鏡筒保持手段は、前記開口部から露呈する面が、前記鏡筒保持手段よりも熱伝導率が低く熱放射率が高い素材からなる皮膜で覆われていることを特徴とする請求項４乃至６何れか記載のデジタルカメラ。
【発明の詳細な説明】
【技術分野】
【０００１】
本発明は、放熱構造を有したデジタルカメラに関する。
【背景技術】
【０００２】
近年、ＣＣＤイメージセンサなどの撮像素子で撮像した画像をデジタルデータとしてメモリカードなどの電子記憶媒体に記憶するデジタルカメラが普及している。この種のデジタルカメラは、撮像素子などの他、ＣＰＵなどが実装された回路基板、画像確認用の液晶モニタ（ＬＣＤ）ユニット、電池などを備えている。これら構成部品は画像の撮像に際して発熱し、筐体内の温度は上昇する。高温になることで、デジタルカメラは正常に動作できなくなる。特に撮像素子は、熱ノイズを発生するので、劣化した画像が得られることになる。
【０００３】
このため、デジタルカメラは、筐体内の温度上昇を抑える放熱構造を採用している。例えば、撮像素子パッケージの一部を熱伝導率の高い部材で構成したり（例えば、特許文献１参照）、撮像素子を熱伝導率の高い部材に固定したりするものが挙げられる。（例えば、特許文献２，３参照）。また、ゴムシートや金属製の板を幾層にも重ねて放熱経路を構成するものある（例えば、特許文献４参照）。
【０００４】
あるいは、レンズとともに撮像素子が内蔵されるレンズ鏡筒を、熱伝導率の異なる複数の部材で構成したり（例えば、特許文献５参照）、熱伝導率の高いフレームに撮像素子を固定したりするものもある（例えば、特許文献６参照）。
【特許文献１】特開２００１−１７７０２３号公報
【特許文献２】特開２００１−３２６８４０号公報
【特許文献３】特開２００４−１０４６３２号公報
【特許文献４】特開２００５−２５２５４７号公報
【特許文献５】特開２００６−１２１６４６号公報
【特許文献６】特開２００６−３４５１９６号公報
【発明の開示】
【発明が解決しようとする課題】
【０００５】
しかしながら、特許文献１記載の構造は、撮像素子パッケージの構造が複雑であり、その製造コストや工数に問題がある。また、特許文献２〜４記載の構造は、別途部材を設ける必要があり、小型化の望まれるデジタルカメラにおいては好ましくない。
【０００６】
また、特許文献５記載の構造は、撮像素子が内蔵されるレンズ鏡筒を有したデジタルカメラに適用範囲が限定され、特許文献６記載の構造は、レンズ鏡筒が筐体内に埋め込まれたデジタルカメラに適用範囲が限定される。
【０００７】
本発明は、上記課題を解決するためのものであり、撮像素子が発する熱を効率良く放出するデジタルカメラを、別途部品を設けることなく低コストに提供することを目的とする。
【課題を解決するための手段】
【０００８】
上記目的を達成するために、本発明のデジタルカメラは、撮影レンズが組み込まれたレンズ鏡筒と、レンズ鏡筒が差し込まれる開口部が形成された前方カバー、及び後方カバーから構成される筐体と、開口部の内側に設けられ、レンズ鏡筒を保持する鏡筒保持手段と、鏡筒保持手段に固定された撮像素子とを備えたデジタルカメラであって、鏡筒保持手段と、前方カバーの少なくとも開口部周縁を形成する部品とは、後方カバーよりも熱伝導率が高い素材からなることを特徴とする。
【０００９】
なお、撮像素子は、後方カバーよりも熱伝導率が高い素材からなるシートを介して鏡筒保持手段に固定されていることが好ましい。
【００１０】
または、鏡筒保持手段は、撮像素子が固定される柔軟性シートと、柔軟性シートの周縁が固定されるとともにレンズ鏡筒を保持する保持部とから構成されていることが好ましい。
【００１１】
または、撮影レンズが組み込まれたレンズ鏡筒と、レンズ鏡筒が差し込まれる開口部が形成された筐体と、開口部から露呈するように設けられ、レンズ鏡筒を保持する鏡筒保持手段と、鏡筒保持手段に固定された撮像素子とを備えたデジタルカメラであって、鏡筒保持手段は、筐体よりも熱伝導率が高い素材からなることを特徴とする。
【００１２】
なお、撮像素子は、筐体よりも熱伝導率が高い素材からなるシートを介して鏡筒保持手段に固定されていることが好ましい。
【００１３】
または、鏡筒保持手段は、撮像素子が固定される柔軟性シートと、柔軟性シートの周縁が固定されるとともにレンズ鏡筒を保持する保持部とから構成されていることが好ましい。
【００１４】
また、鏡筒保持手段は、開口部から露呈する面が、鏡筒保持手段よりも熱伝導率が低く熱放射率が高い素材からなる皮膜で覆われていることが好ましい。
【発明の効果】
【００１５】
本発明のデジタルカメラによれば、前方カバーに形成された開口部の内側に設けられた鏡筒保持手段と、前方カバーの少なくとも開口部周縁を形成する部品とは、後方カバーよりも熱伝導率が高い素材からなるので、撮像素子が発する熱を、鏡筒保持手段から筐体を伝って効率良く前方に放出することができる。また、既存部品の素材を変更したことにより、別途部品を設ける必要はない。そのため、小型化を妨げるようなことはなく且つ低コストに製造することができる。
【００１６】
また、鏡筒保持手段は、撮像素子が固定される柔軟性シートと、柔軟性シートの周縁が固定されるとともにレンズ鏡筒を保持する保持部とから構成されているので、デジタルカメラに加わる衝撃は柔軟性シートに吸収され、直接撮像素子に伝わることが防止されている。
【００１７】
また、別の発明のデジタルカメラによれば、筐体に形成された開口部から露呈するように設けられた鏡筒保持手段は、筐体よりも熱伝導率が高い素材からなるので、撮像素子が発する熱を、鏡筒保持部材を伝って効率良く前方に放出することができる。また、上記同様、小型化を妨げるようなことはなく且つ低コストに製造することができる。
【００１８】
また、鏡筒保持手段は、開口部から露呈する面が、鏡筒保持手段よりも熱伝導率が低く熱放射率が高い素材からなる皮膜で覆われているので、放熱効率はさらに良くなる。また、ユーザが、放熱する鏡筒保持手段に触れて火傷することが防止されている。
【発明を実施するための最良の形態】
【００１９】
［第１実施形態］
以下、本発明の第１実施形態のデジタルカメラ１１について、図面を参照しながら説明する。図１に示すように、デジタルカメラ１１の筐体１２は、ポリカーボネート（ＰＣ）からなる前方カバー１３と、ポリカーボネートより熱伝導率の低い素材からなる後方カバー１４と、から構成される。前方カバー１３の前面には、撮影レンズ１５を保持したレンズ鏡筒１６が組み込まれている。
【００２０】
筐体１２の上面には、デジタルカメラ１１の電源状態を切り替える電源スイッチ１７、シャッタレリーズ操作に用いられるシャッタボタン１８、各種モードを切り替える機能モードダイヤル１９、及びポップアップ式のストロボ装置２０などが設けられている。
【００２１】
また、後方カバー１４の後面には、電子ビューファインダを構成するファインダ接眼窓２１（図２参照）、各種画像などを表示する液晶表示ディスプレー（ＬＣＤ）２２（図２参照）、及びズーミングを行うズーム操作部（図示せず）などが設けられている。
【００２２】
デジタルカメラ１１にて撮影が行われる場合、先ず、ズーム操作部が利用されズーミングが行われる。これにより、焦点距離が可変される。シャッタボタン１８が半押しされると、周知のオートフォーカス装置が作動して被写体距離を測定し、その測定信号に応じてピント合わせが行われる。そして、シャッタボタン１８が全押しされると、撮影が行われる。
【００２３】
図２に示すように、前方カバー１３の前面には、レンズ鏡筒１６が差し込まれる開口部が形成されている。この開口部の内側には、レンズ鏡筒１６を保持するための保持板（鏡筒保持手段）２３が取り付けられている。保持板２３は、前方カバー１３と同様、ポリカーボネートからなり熱伝導性に優れている。レンズ鏡筒１６の後端には係止爪１６ａが形成され、保持板２３には係止爪１６ａと係合する貫通孔が形成されている。この貫通孔に係止爪１６ａが係合することで、レンズ鏡筒１６は、保持板２３に保持され前方カバー１３に組み付けられる。
【００２４】
保持板２３のレンズ鏡筒１６が保持される一方の面には、受光部２４の前方が透明材料２５で塞がれたＣＣＤイメージセンサ２６が固定されている。ＣＣＤイメージセンサ２６は、撮影レンズ１５を透過して入射する被写体光を撮像する。ＣＣＤイメージセンサ２６は撮像するに際し発熱するが、その熱は、保持板２３から前方カバー１３を伝って筐体１２前方へ効率良く放出される。この保持板２３から前方カバー１３を伝う熱伝達経路を有することで、ＣＣＤイメージセンサ２６が過熱することが防止されている。なお、保持板２３及び前方カバー１３の熱伝導率は２［Ｗ／ｍ・Ｋ］以上であり、後方カバー１４の熱伝導率は０．５［Ｗ／ｍ・Ｋ］以下であることが好ましい。
【００２５】
なお、上記第１実施形態のデジタルカメラ１１において、ＣＣＤイメージセンサ２６は、保持板２３に直接固定される場合を例に説明したが、第２実施形態のデジタルカメラ３１（図３参照）に示すように、熱伝導率の高い部材を介して固定されていても良い。
【００２６】
［第２実施形態］
以下、本発明の第２実施形態のデジタルカメラ３１について、図面を参照しながら説明する。図３に示すように、保持板２３のレンズ鏡筒１６が保持される一方の面には、受光部２４の前方が透明材料２５で塞がれたＣＣＤイメージセンサ２６が、シート３２を介して固定されている。シート３２は、後方カバー１４より熱伝導率の高い素材からなる。ＣＣＤイメージセンサ２６が発する熱は、シート３２から保持板２３と前方カバー１３とを伝って筐体１２前方へ効率良く放出される。このシート３２から保持板２３と前方カバー１３とを伝う熱伝達経路を有することで、ＣＣＤイメージセンサ２６が過熱することが防止されている。なお、シート３２の熱伝導率は、１［Ｗ／ｍ・Ｋ］以上であることが好ましい。なお、第１実施形態のデジタルカメラ１１（図１及び図２参照）と同じ構成については、同一の符号を付すなどして詳しい説明を省略する。
【００２７】
なお、上記各実施形態のデジタルカメラ１１，３１において、前方カバー１３は、ポリカーボネートで一体的に成型されている場合を例に説明したが、これに限定されず、第３，４実施形態のデジタルカメラ３６，４１（図４及び図５参照）のように、前方カバー３８の一部の素材だけがポリカーボネートであっても良い。
【００２８】
［第３実施形態］
以下、本発明の第３実施形態のデジタルカメラ３６について、図面を参照しながら説明する。図４に示すように、デジタルカメラ３６の筐体３７は、前方カバー３８と後方カバー１４とから構成される。前方カバー３８の前面には、レンズ鏡筒１６が組み込まれている。
【００２９】
前方カバー３８の前面には、ポリカーボネートからなる筒状の周縁部３８ａを有した開口部が形成され、この開口部には、レンズ鏡筒１６が差し込まれる。開口部の内側には保持板２３が取り付けられ、レンズ鏡筒１６は、保持板２３に保持され前方カバー３８に組み付けられる。
【００３０】
ＣＣＤイメージセンサ２６が発する熱は、保持板２３から前方カバー３８の周縁部３８ａを伝って筐体３７前方へ効率良く放出される。この保持板２３から前方カバー３８の周縁部３８ａを伝う熱伝達経路を有することで、ＣＣＤイメージセンサ２６が過熱することが防止されている。なお、周縁部３８ａの熱伝達率は２［Ｗ／ｍ・Ｋ］以上であり、その他前方カバー３８の熱伝導率は０．５［Ｗ／ｍ・Ｋ］以下であることが好ましい。なお、第１実施形態のデジタルカメラ１１（図１及び図２参照）と同じ構成については、同一の符号を付すなどして詳しい説明を省略する。
【００３１】
［第４実施形態］
以下、本発明の第４実施形態のデジタルカメラ４１について、図面を参照しながら説明する。図５に示すように、保持板２３のレンズ鏡筒１６が保持される一方の面には、受光部２４の前方が透明材料２５で塞がれたＣＣＤイメージセンサ２６が、シート３２を介して固定されている。ＣＣＤイメージセンサ２６が発する熱は、シート３２から保持板２３と前方カバー３８の周縁部３８ａとを伝って筐体３７前方へ効率良く放出される。このシート３２から保持板２３と前方カバー３８の周縁部３８ａとを伝う熱伝達経路を有することで、ＣＣＤイメージセンサ２６が過熱することが防止されている。なお、第３実施形態のデジタルカメラ３６（図４参照）と同じ構成については、同一の符号を付すなどして詳しい説明を省略する。
【００３２】
なお、上記各実施形態のデジタルカメラ１１，３１，３６，４１において、レンズ鏡筒１６を保持する保持板２３は、筐体１２，３７の開口部内側に設けられている場合を例に説明したが、第５，６実施形態のデジタルカメラ４６，５１（図６及び図７参照）に示すように、レンズ鏡筒１６を保持する保持部材４９が、筐体４７の開口部から露呈するように設けられていても良い。
【００３３】
［第５実施形態］
以下、本発明の第５実施形態のデジタルカメラ４６について、図面を参照しながら説明する。図６に示すように、デジタルカメラ４６の筐体４７は、前方カバー４８と後方カバー１４とから構成される。前方カバー４８の前面には、レンズ鏡筒１６が組み込まれている。
【００３４】
前方カバー４８には開口部が形成され、この開口部にはレンズ鏡筒１６を保持するための保持部材（鏡筒保持手段）４９が露呈するように設けられている。保持部材４９は、カバー４８，１４より熱伝導率の高い素材からなる。保持部材４９は筒状であり、筐体４７の内側の一端に、係止爪１６ａと係合する貫通孔が形成された保持面４９ａが形成されている。この貫通孔に係止爪１６ａが係合することで、レンズ鏡筒１６は、保持部材４９に保持され前方カバー４８に組み付けられる。
【００３５】
保持面４９ａのレンズ鏡筒１６が保持される一方の面には、受光部２４の前方が透明材料２５で塞がれたＣＣＤイメージセンサ２６が固定されている。ＣＣＤイメージセンサ２６は、撮像するに際し発熱するが、その熱は、保持部材４９を伝って筐体４７前方へ効率良く放出される。この保持部材４９を伝う熱伝達経路を有することで、ＣＣＤイメージセンサ２６が過熱することが防止されている。なお、保持部材４９はポリカーボネートからなり、その熱伝導率は２［Ｗ／ｍ・Ｋ］以上であることが好ましい。また、前方カバー４８の熱伝導率は、０．５［Ｗ／ｍ・Ｋ］以下であることが好ましい。なお、第１実施形態のデジタルカメラ１１（図１及び図２参照）と同じ構成については、同一の符号を付すなどして詳しい説明を省略する。
【００３６】
［第６実施形態］
以下、本発明の第６実施形態のデジタルカメラ５１について、図面を参照しながら説明する。図７に示すように、保持面４９ａのレンズ鏡筒１６が保持される一方の面には、受光部２４の前方が透明材料２５で塞がれたＣＣＤイメージセンサ２６が、シート３２を介して固定されている。ＣＣＤイメージセンサ２６が発する熱は、シート３２から保持部材４９を伝って筐体４７前方へ効率良く放出される。このシート３２から保持部材４９を伝う熱伝達経路を有することで、ＣＣＤイメージセンサ２６が過熱することが防止されている。なお、第５実施形態のデジタルカメラ４６（図６参照）と同じ構成については、同一の符号を付すなどして詳しい説明を省略する。
【００３７】
なお、上記各実施形態のデジタルカメラ１１，３１，３６，４１，４６，５１では、筐体１２，３７，４７に加わる衝撃が、直接ＣＣＤイメージセンサ２６に伝わってしまう。そこで以下に示す第７，８，９実施形態のデジタルカメラ５６，６１，６６（図８、図９及び図１０参照）のように、筐体１２，３７，４７に加わる衝撃が、直接ＣＣＤイメージセンサ２６に伝わらない工夫がされていても良い。
【００３８】
［第７実施形態］
以下、本発明の第７実施形態のデジタルカメラ５６について、図面を参照しながら説明する。図８に示すように、前方カバー１３の開口部の内側には、レンズ鏡筒１６を保持するための保持部材（鏡筒保持手段）５７が取り付けられている。保持部材５７は、開口部を有した保持板（保持部）５８と、その開口部を塞ぐように設けられたグラファイトからなるシート（柔軟性シート）５９と、から構成される。保持部材５７は、後方カバー１４より熱伝導率の高い素材からなる。保持板５８には、係止爪１６ａと係合する貫通孔が形成されている。この貫通孔に係止爪１６ａが係合することで、レンズ鏡筒１６は、保持部材５７に保持され前方カバー１３に組み付けられる。
【００３９】
シート５９のレンズ鏡筒１６が保持される一方の面には、受光部２４の前方が透明材料２５で塞がれたＣＣＤイメージセンサ２６が固定されている。ＣＣＤイメージセンサ２６が発する熱は、シート５９から保持板５８と前方カバー１３とを伝って筐体１２前方へ効率良く放出される。このシート５９から保持板５８と前方カバー１３とを伝う熱伝達経路を有することで、ＣＣＤイメージセンサ２６が過熱することが防止されている。また、ＣＣＤイメージセンサ２６がシート５９に固定されているので、筐体１２に加わる衝撃はシート５９に吸収され、直接ＣＣＤイメージセンサ２６に伝わることが防止されている。なお、保持板５８の熱伝導率は２［Ｗ／ｍ・Ｋ］以上であり、シート５９の熱伝導率は１００［Ｗ／ｍ・Ｋ］以上であることが好ましい。なお、第１実施形態のデジタルカメラ１１（図１及び図２参照）と同じ構成については、同一の符号を付すなどして詳しい説明を省略する。
【００４０】
［第８実施形態］
以下、本発明の第８実施形態のデジタルカメラ６１について、図面を参照しながら説明する。図９に示すように、前方カバー３８の開口部の内側には、保持部材５７が取り付けられ、レンズ鏡筒１６は、保持部材５７に保持され前方カバー３８に組み付けられる。
【００４１】
ＣＣＤイメージセンサ２６が発する熱は、シート５９から保持板５８と前方カバー３８の周縁部３８ａを伝って筐体３７前方へ効率良く放出される。このシート５９から保持板５８と前方カバー３８の周縁部３８ａを伝う熱伝達経路を有することで、ＣＣＤイメージセンサ２６が過熱することが防止されている。また、ＣＣＤイメージセンサ２６がシート５９に固定されているので、筐体３７に加わる衝撃はシート５９に吸収され、直接ＣＣＤイメージセンサ２６に伝わることが防止されている。なお、第３実施形態のデジタルカメラ３６（図４参照）と同じ構成については、同一の符号を付すなどして詳しい説明を省略する。
【００４２】
［第９実施形態］
以下、本発明の第９実施形態のデジタルカメラ６６について、図面を参照しながら説明する。図１０に示すように、前方カバー４８には開口部が形成され、この開口部にはレンズ鏡筒１６を保持するための保持部材（鏡筒保持手段）６７が露呈するように設けられている。保持部材６７は、カバー４８，１４より熱伝導率の高い素材からなる。保持部材６７は、筒状の保持部６８と、その後端を塞ぐように設けられたグラファイトからなるシート（柔軟性シート）６９と、から構成される。保持部６８には、係止爪１６ａと係合する貫通孔が形成されている。この貫通孔に係止爪１６ａが係合することで、レンズ鏡筒１６は、保持部材６７に保持され前方カバー４８に組み付けられる。
【００４３】
シート６９のレンズ鏡筒１６が保持される一方の面には、受光部２４の前方が透明材料２５で塞がれたＣＣＤイメージセンサ２６が固定されている。ＣＣＤイメージセンサ２６が発する熱は、シート６９から保持部６８を伝って筐体４７前方へ効率良く放出される。このシート６９から保持部６８を伝う熱伝達経路を有することで、ＣＣＤイメージセンサ２６が過熱することが防止されている。また、ＣＣＤイメージセンサ２６がシート６９に固定されているので、筐体４７に加わる衝撃はシート６９に吸収され、直接ＣＣＤイメージセンサ２６に伝わることが防止されている。なお、保持部６８はポリカーボネートからなり、その熱伝導率は２［Ｗ／ｍ・Ｋ］以上であることが好ましい。また、シート６９の熱伝導率は、１００［Ｗ／ｍ・Ｋ］以上であることが好ましい。なお、第５実施形態のデジタルカメラ４６（図６参照）と同じ構成については、同一の符号を付すなどして詳しい説明を省略する。
【００４４】
なお、上記５，６，９実施形態のデジタルカメラ４６，５１，６６では、ＣＣＤイメージセンサ２６が発する熱を筐体筐体４７前方へ放出する保持部材４９，６７の表面が過熱して、ユーザに火傷を負わせる虞がある。そこで、以下に示す第１０，１１，１２実施形態のデジタルカメラ７１，７６，８１（図１１、図１２及び図１３参照）のように、保持部材４９，６７の表面が過熱することを防止する工夫がなされていても良い。
【００４５】
［第１０実施形態］
以下、本発明の第１０実施形態のデジタルカメラ７１について、図面を参照しながら説明する。図１１に示すように、保持部材４９の外部に露呈する面は、保持部材４９より熱伝導率が低く熱放射率が高い素材からなる皮膜７２で覆われている。
【００４６】
ＣＣＤイメージセンサ２６は、撮像するに際し発熱するが、その熱は、保持部材４９から皮膜７２を伝って筐体４７前方へ効率良く放出される。この保持部材４９から皮膜７２を伝う熱伝達経路を有することで、ＣＣＤイメージセンサ２６が過熱することが防止されている。また、保持部材４９の外部に露呈する面が熱伝導率の低い皮膜７２で覆われているので、ユーザに火傷を負わせることを防止している。なお、皮膜７２は、熱伝達率が０．５［Ｗ／ｍ・Ｋ］以下であって、熱放射率が０．８［ε］以上であることが好ましい。また、皮膜７２の厚さは、０．１［ｍｍ］以下であることが好ましい。さらに、保持部材４９はアルミニウムからなり、その熱伝導率が５０［Ｗ／ｍ・Ｋ］以上であって、熱放射率が０．１［ε］以下であることが好ましい。なお、第５実施形態のデジタルカメラ４６（図６参照）と同じ構成については、同一の符号を付すなどして詳しい説明を省略する。
【００４７】
［第１１実施形態］
以下、本発明の第１１実施形態のデジタルカメラ７６について、図面を参照しながら説明する。図１２に示すように、保持部材４９の外部に露呈する面は、皮膜７２で覆われている。
【００４８】
ＣＣＤイメージセンサ２６は、撮像するに際し発熱するが、その熱は、シート３２から保持部材４９と皮膜７２とを伝って筐体４７前方へ効率良く放出される。このシート３２から保持部材４９と皮膜７２とを伝う熱伝達経路を有することで、ＣＣＤイメージセンサ２６が過熱することが防止されている。また、保持部材４９の外部に露呈する面が熱伝導率の低い皮膜７２で覆われているので、ユーザに火傷を負わせることを防止している。なお、保持部材４９はアルミニウムからなり、その熱伝導率が５０［Ｗ／ｍ・Ｋ］以上であって、熱放射率が０．１［ε］以下であることが好ましい。なお、第６実施形態のデジタルカメラ５１（図７参照）と同じ構成については、同一の符号を付すなどして詳しい説明を省略する。
【００４９】
［第１２実施形態］
以下、本発明の第１２実施形態のデジタルカメラ８１について、図面を参照しながら説明する。図１３に示すように、保持部６８の外部に露呈する面は、保持部６８より熱伝導率が低く熱放射率が高い素材からなる皮膜７２で覆われている。
【００５０】
ＣＣＤイメージセンサ２６は、撮像するに際し発熱するが、その熱は、シート６９から保持部６８と皮膜７２とを伝って筐体４７前方へ効率良く放出される。このシート６９から保持部６８と皮膜７２とを伝う熱伝達経路を有することで、ＣＣＤイメージセンサ２６が過熱することが防止されている。また、ＣＣＤイメージセンサ２６がシート６９に固定されているので、筐体４７に加わる衝撃はシート６９に吸収され、直接ＣＣＤイメージセンサ２６に伝わることが防止されている。さらに、保持部６８の外部に露出する面が熱伝導率の低い皮膜７２で覆われているので、ユーザに火傷を負わせることを防止している。なお、保持部６８はアルミニウムからなり、その熱伝導率が５０［Ｗ／ｍ・Ｋ］以上であって、熱放射率が０．１［ε］以下であることが好ましい。なお、第９実施形態のデジタルカメラ６６（図１０参照）と同じ構成については、同一の符号を付すなどして詳しい説明を省略する。
【００５１】
なお、上記各実施形態のデジタルカメラ１１，３１，３６，４１，４６，５１、５６，６１，６６，７１，７６，８１において、レンズ鏡筒１６が筐体１２，３７，４７に組み付けられている場合を例に説明したが、これに限定されるのではなく、レンズ鏡筒が着脱自在に取り付けられていても良い。
【００５２】
また、上記各実施形態において、各種部品の素材として、ポリカーボネート、グラファイト、アルミニウムなどを挙げたが、これは一例に過ぎず、同様の性質を有した素材であればその種類は問わない。
【図面の簡単な説明】
【００５３】
【図１】第１実施形態のデジタルカメラの外観斜視図である。
【図２】第１実施形態のデジタルカメラの部分断面図である。
【図３】第２実施形態のデジタルカメラの部分断面図である。
【図４】第３実施形態のデジタルカメラの部分断面図である。
【図５】第４実施形態のデジタルカメラの部分断面図である。
【図６】第５実施形態のデジタルカメラの部分断面図である。
【図７】第６実施形態のデジタルカメラの部分断面図である。
【図８】第７実施形態のデジタルカメラの部分断面図である。
【図９】第８実施形態のデジタルカメラの部分断面図である。
【図１０】第９実施形態のデジタルカメラの部分断面図である。
【図１１】第１０実施形態のデジタルカメラの部分断面図である。
【図１２】第１１実施形態のデジタルカメラの部分断面図である。
【図１３】第１２実施形態のデジタルカメラの部分断面図である。
【符号の説明】
【００５４】
１１，３１，３６，４１，４６，５１、５６，６１，６６，７１，７６，８１  デジタルカメラ
１２，３７，４７  筐体
１３，３８，４８  前方カバー
１４  後方カバー
１５  撮影レンズ
１６  レンズ鏡筒
１７  電源スイッチ
１８  シャッタボタン
１９  機能モードダイヤル
２０  ストロボ装置
２１  ファインダ接眼窓
２２  液晶表示ディスプレー（ＬＣＤ）
２３  保持板（鏡筒保持手段）
２４  受光部
２５  透明材料
２６  ＣＣＤイメージセンサ
３２  シート
３８ａ  周縁部
４９，５７，６７  保持部材（鏡筒保持手段）
５８  保持板（保持部）
５９，６９  シート（柔軟性シート）
６８  保持部
７２  皮膜
【図１】
2008244937.tif 000003
【図２】
2008244937.tif 000004
【図３】
2008244937.tif 000005
【図４】
2008244937.tif 000006
【図５】
2008244937.tif 000007
【図６】
2008244937.tif 000008
【図７】
2008244937.tif 000009
【図８】
2008244937.tif 000010
【図９】
2008244937.tif 000011
【図１０】
2008244937.tif 000012
【図１１】
2008244937.tif 000013
【図１２】
2008244937.tif 000014
【図１３】
2008244937.tif 000015